(57)【特許請求の範囲】
【請求項１】
複数の放射素子を含む第１のサブアレイと複数の放射素子を含む第２のサブアレイが基板上に配置され、前記放射素子に給電する給電線路を備えたアレイアンテナであって、
励振源から前記第１、第２のサブアレイへの給電線路の途中にマジックＴを備え、前記マジックＴのＥポートに前記励振源からの信号が入力され、入力された信号は前記マジックＴのＨポート以外の他の２つのポートから出力され、前記第１のサブアレイが含む複数の放射素子を構成する辺に対して第１の方向から給電し、前記第２のサブアレイが含む複数の放射素子を構成する辺に対して前記第１の方向と逆方向の第２の方向から、前記第１のサブアレイへの給電とは逆相で給電することを特徴とするアレイアンテナ。
【請求項２】
前記放射素子と前記給電線路の接続点は、前記第１、第２のサブアレイで互いに反対側に設ける請求項１に記載のアレイアンテナ。
【請求項３】
前記マジックＴのＥポートをΣポートとして用い、ＨポートをΔポートとして用いる請求項１または２に記載のアレイアンテナ。
【請求項４】
前記第１、第２のサブアレイは、前記第１のサブアレイと前記第２のサブアレイの境界線を対称軸にして線対称に配置されている請求項１から３のいずれか一項に記載のアレイアンテナ。
【請求項５】
請求項１から４のいずれか一項に記載のアレイアンテナを少なくとも２つ、第１のアレイアンテナ、第２のアレイアンテナとして配置し、前記第１のアレイアンテナの第１のマジックＴ及び前記第２のアレイアンテナの第２のマジックＴに対して、第３のマジックＴから給電するアレイアンテナであって、
前記励振源からの信号は前記第３のマジックＴのＥポート、Ｈポート以外の２つのポートに同相の信号として入力し、前記入力された信号は前記第３のマジックＴのＨポートから出力して前記第１のマジックＴと前記第２のマジックＴに入力されるアレイアンテナ。
【請求項６】
複数の放射素子を含む第１のサブアレイと複数の放射素子を含む第２のサブアレイが基板上に配置され、前記放射素子に給電する給電線路を備えたアレイアンテナであって、
励振源からの信号をラットレース回路に入力し、前記ラットレース回路の、前記信号を入力した端子に隣接する端子を前記第１のサブアレイに接続し、前記隣接する端子に対して逆相になる端子を前記第２のサブアレイに接続し、
前記第１のサブアレイが含む複数の放射素子を構成する辺に対して第１の方向から給電し、前記第２のサブアレイが含む複数の放射素子を構成する辺に対して前記第１の方向と逆方向の第２の方向から給電することを特徴とするアレイアンテナ。
【請求項７】
前記第１のサブアレイの第１の給電点及び前記第２のサブアレイの第２の給電点から前記放射素子に対して並列給電する請求項１から６のいずれか一項に記載のアレイアンテナ。
【発明の詳細な説明】
【技術分野】
【０００１】
本発明は、アレイアンテナに関し、特にアレイアンテナを構成する放射素子に給電する給電回路を備えたアレイアンテナに関する。
【背景技術】
【０００２】
アレイアンテナは複数の放射素子を直線状、平面状、曲面状などに配列し、その全部または一部を励振し、励振電流（電圧）と位相を制御して所望の放射指向性（放射パターン）を得るアンテナである。
【０００３】
アレイアンテナから電波を放射させる場合、給電回路を用いて、アレイアンテナを構成する個々の放射素子を励振する。放射素子はプリント基板等の上に配列させ、個々の放射素子を給電線路で給電回路に接続する。基板が矩形であれば、通常は基板の一つの辺に、給電線路と給電回路の接続部を設け、そこから放射素子に給電する。
【０００４】
特許文献１のアレイアンテナ装置は、第１の給電点を備える第１の基板と、その下部に積層され第２の給電点を備える第２の基板を備えている。
【０００５】
第１の基板には複数の第１の放射素子をアレイ状に配置した第１の放射素子アレイが形成される。第２の基板には複数の第２の放射素子をアレイ状に配置した第２の放射素子アレイが形成される。第１の基板には第１の放射素子アレイへ給電する第１の給電線路が形成されている。第１の給電線路は、複数の第１の放射素子が第１の偏波方向に直線偏波を形成するように、第１の給電点と複数の第１の放射素子それぞれを等長のパターン配線で接続する。
【０００６】
また第２の基板には第２の放射素子アレイへ給電する第２の給電線路が形成されている。第２の給電線路は、複数の第２の放射素子が第１の偏波方向と直交する第２の偏波方向に直線偏波を形成するように、第２の給電点と複数の第２の放射素子それぞれを等長のパターン配線で接続する。送信機側のポートから無線信号が１８０度ハイブリッド回路に出力され、第１、第２の給電点には１８０度の位相差で給電する。
【０００７】
このようにすると給電線路を蛇行させることなく、サイドローブを抑制しつつ、直線偏波を所定の角度で形成できる、としている。（段落（０００６）、（００２８）、図２）
また特許文献２の平面アンテナでは、導波管にて並列に給電する構成の平面アンテナにおいて、合成部にマジックＴを構成し、各導波管回路をブロックにて構成して積層している。図１，２の実施例では、金属板にアパーチャを形成することにより、アンテナ回路基板２に４素子のアンテナ素子１を形成してアンテナブロックＢを構成している。このアンテナブロックＢの底面には、給電用導波管開口３が形成されており、給電用導波管開口３は同相合成給電ブロックＢ０に構成されたＬ型コーナ４を介して同相合成導波管５に出力される。水平方向に隣接する４素子アレイの出力は同相合成導波管５を介して第１Ｔ分岐Ｔ１で同相合成され、さらに、垂直方向に隣接するアンテナ素子の合成出力と第２Ｔ分岐Ｔ２で合成され、結局、合計１６素子の同相合成電力、すなわち、モノパルスの和パターンが同相合成出力Σとして得られる（段落（０００７）、図１、図２）。
【先行技術文献】
【特許文献】
【０００８】
【特許文献１】国際公開第２０１５／１２９０８９号
【特許文献２】特開平６−２５２６８３号公報
【発明の概要】
【発明が解決しようとする課題】
【０００９】
しかし特許文献１ではその図２から明らかなように、一つの基板１または基板２上に配置された複数の放射素子１０１、２０１または１０２、２０２に対して全て同じ方向から給電している。つまり基板１上の放射素子１０１，２０１では、給電線が個々の放射素子に接続される接続点が全て放射素子の奥側にあり、図２の奥から手前へ向かう方向に給電されている。同様に基板２上の放射素子１０２、２０２に対する給電方向は、全て図の手前から奥へ向かう方向である。特許文献１では他の図１，３，４でも同様である。
【００１０】
放射素子に給電線路が接続されている影響等で、個々の放射素子の放射特性は非対称になる。アレイアンテナ放射パターンは、放射素子の放射パターンにアレイファクタ（放射素子の配置で決まる指向性）を掛けたものであるため、放射素子の放射パターンが非対称だと、アレイアンテナの放射パターンも非対称になる。つまりサイドローブが非対称になる。特許文献１ではこの点についての解決策は示されていない。
【００１１】
グランド面に対して、給電線路を放射素子と同じ側に構成しなければいけない場合、放射素子に対して給電する方向を中心軸に対して対称にするとサイドローブの抑制には効果がある。しかしアレイの半分が逆相になってしまうという難点があった。これを半波長遅延させる遅延回路を使って電気的に位相を合わせることはでき、使用帯域が狭い場合はその手法で位相を合わせることができる。しかし帯域が広い場合は、帯域のエッジにおいて位相が揃わず、サイドローブが劣化する。
【００１２】
また特許文献２では、励振源からマジックＴのＨポート（狭壁面）にΣ信号を入力してアンテナに給電するので、サイドローブの劣化を抑制することは難しい。
【００１３】
本発明の目的は、以上述べた問題点を解決し、広帯域で使用する場合でもサイドローブの劣化を抑制できるアレイアンテナを提供することである。
【課題を解決するための手段】
【００１４】
本発明は、複数の放射素子を含む第１のサブアレイと複数の放射素子を含む第２のサブアレイが基板上に配置され、前記放射素子に給電する給電線路を備えたアレイアンテナであって、
励振源から前記第１、第２のサブアレイへの給電線路の途中にマジックＴを備え、前記マジックＴのＥポートに前記励振源からの信号が入力され、入力された信号は前記マジックＴのＨポート以外の他の２つのポートから出力され、前記第１のサブアレイが含む複数の放射素子に対して第１の方向から給電し、前記第２のサブアレイが含む複数の放射素子は前記第１の方向と逆方向の第２の方向から給電することを特徴とするアレイアンテナ、である。
【００１５】
また本発明は、複数の放射素子を含む第１のサブアレイと複数の放射素子を含む第２のサブアレイが基板上に配置され、前記放射素子に給電する給電線路を備えたアレイアンテナであって、
励振源からの信号をラットレース回路に入力し、前記信号を入力した端子に隣接する端子を前記第１のサブアレイに接続し、前記隣接する端子に対して逆相になる端子を前記第２のサブアレイに接続し、
前記第１のサブアレイが含む複数の放射素子に対して第１の方向から給電し、前記第２のサブアレイが含む複数の放射素子は前記第１の方向と逆方向の第２の方向から給電することを特徴とするアレイアンテナである。
【発明の効果】
【００１６】
本発明のアレイアンテナによれば、広帯域で使用する場合でもサイドローブの劣化を抑制できる。
【図面の簡単な説明】
【００１７】
【図１】本発明の第１の実施形態のアレイアンテナ１００を説明する模式図である。
【図２】本発明の第１の実施形態のアレイアンテナ１００の方位角方向の放射パターンのシミュレーション結果を示す図である。
【図３】放射素子に同じ方向から給電するアレイアンテナを説明する模式的平面図である。
【図４】放射素子に同じ方向から給電するアレイアンテナの方位角方向の放射パターンのシミュレーション結果を示す図である。
【図５】図１のアレイアンテナ１００について、中心周波数から４％ずれた周波数における放射パターンのシミュレーション結果を示す図である。
【図６】図１のアレイアンテナ１００で、マジックＴを用いない場合の、同じく中心周波数から４％ずれた周波数における放射パターンのシミュレーション結果を示す図である。
【図７】本発明の第２の実施形態のアレイアンテナ４００を示す模式的平面図である。
【図８】本発明の第３の実施形態のアレイアンテナで用いるラットレース回路を示す図である。
【図９】本発明の第３の実施形態のアレイアンテナを説明する模式図である。
【図１０】本発明の第４の実施形態のアレイアンテナを説明するための模式的平面図である。
【発明を実施するための形態】
【００１８】
（第１の実施形態）
図１は本発明の第１の実施形態のアレイアンテナ１００を説明する模式図である。プリント基板１１０上には第１のサブアレイ１３１と第２のサブアレイ１３２が線対称に配置されている。また第１のサブアレイ１３１と第２のサブアレイ１３２は逆方向に給電されている。
【００１９】
第１のサブアレイ１３１について述べる。プリント基板１１０上に放射素子１０１を４つ配置して２つの４素子アレイ１２１、１２２を構成している。なお４素子にしたこと自体に意味はなく、「４素子アレイ」は便宜上の呼称である。放射素子１０１は、矩形の導体パターンで形成したパッチアンテナであり、導体パターンの一か所で給電線路１０２に接続されている。給電線路１０２はマイクロストリップ線路である。４素子アレイ１２１と同様の構成の４素子アレイ１２２がプリント基板１１０上に隣接して配置され、４素子アレイ１２１と１２２で第１のサブアレイ１３１を構成する。第１のサブアレイ１３１を構成する８素子は全て図１の左側から給電されている。
【００２０】
プリント基板１１０の端に給電点である第１の信号入出力ポート１４１を設け、４素子アレイ１２１と１２２の間に給電線路１５１を通してトーナメント型のレイアウトで第１のサブアレイ１３１の８つの放射素子１０１まで等長に配線して給電する。第１のサブアレイ１３１には第１の信号入出力ポート１４１から各放射素子１０１に並列給電する。また第２のサブアレイ１３３には第２の信号入出力ポート１４２から各放射素子１０１’に並列給電する。
【００２１】
次に第２のサブアレイ１３２について述べる。プリント基板１１０上に放射素子１０１’を４つ配置して２つの４素子アレイ１２３，１２４を構成している。放射素子１０１’は、矩形の導体パターンで形成したパッチアンテナであり、導体パターンの一か所で給電線路１０３に接続されている。給電線路１０３はマイクロストリップ線路である。４素子アレイ１２３と同様の構成の４素子アレイ１２４がプリント基板１１０上に隣接して配置され、４素子アレイ１２３と１２４で第２のサブアレイ１３２を構成する。第２のサブアレイ１３２を構成する８素子は全て図１の右側から給電されている。
【００２２】
このように、第１のサブアレイ１３１では給電線路１０２は各放射素子１０１の左側で接続され、第２のサブアレイ１３２では給電線路１０２は各放射素子１０１’の右側で接続され、接続点が互いに反対側に位置している。
【００２３】
プリント基板１１０の、第１の信号入出力ポート１４１とは反対側の端に、給電点である第２の信号入出力ポート１４２を設け、４素子アレイ１２３，１２４の間に給電線路１５２を通してトーナメント型のレイアウトで第２のサブアレイ１３２の８つの放射素子１０１’まで等長に配線して給電する。
【００２４】
第１のサブアレイ１３１と第２のサブアレイ１３２は、給電線路１０２、１０３も含め、第１のサブアレイ１３１と第２のサブアレイ１３２の中間にある直線１４０（一点鎖線）を対称軸にして線対称に配置されている。なお直線１４０は第１の信号入出力ポート１４１と第２の信号入出力ポート１４２を結ぶ線に直交した線であり、実際にプリント基板１１０上に形成されているのではなく、説明のために想定した直線である。
【００２５】
励振源１６０つまり送信機からの送信信号を導波管（不図示）で導き、導波管をマジックＴ１７０のＥポート１７１（広壁面）に接続する。Ｅポート１７１から入力した送信信号はマジックＴ内で分配され、Ｅポート、Ｈポート以外の他の２つのポート１７２，１７３に逆相で出力される。
【００２６】
マジックＴ１７０のポート１７２、１７３はそれぞれ導波管（不図示）に接続され、片方の導波管は第１の信号入出力ポート１４１に接続され、もう一方の導波管は第２の信号入出力ポート１４２に接続される。給電線路１５１または給電線路１５２を経由して放射素子１０１に給電される。
【００２７】
第１のサブアレイ１３１の放射素子１０１と第２のサブアレイ１３２の放射素子１０１’では、給電される向きが正反対である。図１ではそれを「同相」、「逆相」と表現している。
【００２８】
一方マジックＴ１７０から第１の信号入出力ポート１４１と第２の信号入出力ポート１４２に伝わる送信信号は前述のように位相が互いに逆相になる。放射素子に給電される向きが反対であることによって放射素子１０１と放射素子１０１’は反対方向に励振され、放射素子の放射パターンの非対称性を相殺することができる。これだけでは２つのサブアレイ間が互いに逆相で励振されてしまうが、本実施形態では、更に、２つのサブアレイに入力される送信信号が互いに逆相である。そのため逆相×逆相となり最終的には放射素子１０１と放射素子１０１’は同相で励振されることになる。つまり放射素子の放射パターンの非対称性を相殺しつつ２つのサブアレイを同相で励振できることになる。
【００２９】
なお通常とは異なり、ＥポートはΣポート、ＨポートはΔポートとして用いる。通常のマジックＴは、ＥポートをΔポート、ＨポートをΣポートとして用いるが、本実施形態では逆に用いている。それによって広帯域に渡って位相反転をおこなうことができ、その結果広帯域でサイドローブの劣化を抑制できる。
【００３０】
またマジックＴは位相の周波数特性が小さく、周波数によって特性があまり変わらない。そのため広帯域の用途に適している。
【００３１】
以上は送信時の動作であるが、アレイアンテナ１００が信号を受信すると、受信信号は送信とは給電線路を逆方向に伝播してマジックＴの２つのポート１７２，１７３に入力される。受信機（不図示）はＨポート１７４と接続されている。
【００３２】
図１のように２つのサブアレイ間で放射素子の給電方向を反対にし、第１の信号入出力ポート１４１と第２の信号入出力ポート１４２を逆相で足し合わせると、図２に方位角方向の放射パターンのシミュレーション結果を示すように、左右で対称な放射パターンとなり、低サイドローブ化が実現できることがわかる。
【００３３】
ここで図３のように、図１の第１のサブアレイ１３１’と第２のサブアレイ１３２’の各放射素子に対して、全て同じ方向つまり図の左方向から給電する配置を取ったアレイアンテナ３５０を考える。図３ではそれを「同相」、「同相」と表現している。第１の信号入出力ポート１４１’、第２の信号入出力ポート１４２’は図１と同じく第１、第２のサブアレイ１３１’、１３２’を挟んで向かい合う位置にある。このような配置にした場合のアレイアンテナの方位角方向の放射パターンのシミュレーション結果は図４のようになり、左右が非対称な形状になる。
【００３４】
次に中心周波数からずれた周波数における放射パターンについて述べる。図５は図１のアレイアンテナ１００について、中心周波数から４％ずれた周波数における放射パターンのシミュレーション結果である。一方図６は、同じく図１のアレイアンテナ１００で、マジックＴを用いない場合の、同じく中心周波数から４％ずれた周波数における放射パターンのシミュレーション結果である。
【００３５】
図６は具体的には、励振源から第１の信号入出力ポート１４１の間の給電線路、または、励振源から第２の信号入出力ポート１４２の間の給電線路のうちの片方にだけ、λ／２（半波長）遅延させる遅延回路を挿入して、第１の信号入出力ポート１４１と第２の信号入出力ポート１４２を逆相にしたものである。なおλは使用する周波数帯の中心周波数に対応する波長である。サブアレイ自体は図１と同じである。
【００３６】
図５の放射パターンは帯域が広い場合に中心周波数がずれても放射パターンのサイドローブが左右で等しいことが分かる。図６の放射パターンでも中心周波数であれば逆相の信号は遅延回路で完全に同相になる。しかし帯域が広く、中心周波数から離れるに連れて、左半分のサブアレイと右半分のサブアレイの位相差は大きくなり、放射パターンのサイドローブの凸凹が目立っている。
【００３７】
以上述べたように、本実施形態では一方のサブアレイの放射素子にある方向（第１方向）から給電したら、他方のサブアレイにはその逆の方向（第２方向）から給電する。それに加えて２つのサブアレイに対して互いに逆相で給電する。それらによってアレイアンテナの放射パターンを対称とし、低サイドローブ化が実現できる。
【００３８】
なお本実施形態では、第１のサブアレイ１３１と第２のサブアレイ１３２の境界線の直線１４０を対称軸にして線対称に配置した。しかし線対称に配置することは必須ではなく、放射素子１０１が第１方向から給電され、放射素子１０１’がその反対の第２方向から給電されていればよい。また本実施形態では、第２の信号入出力ポート１４２は、プリント基板１１０上で第１、第２のサブアレイを挟んで第１の信号入出力ポート１４１の反対側に設けた。しかし同様の理由でこのような位置関係にする必要はなく、例えばプリント基板上で９０度の位置関係に設けてもよい。
（第２の実施形態）
図７は本発明の第２の実施形態のアレイアンテナ４００を示す模式的平面図である。このアレイアンテナ４００では図１で述べたアレイアンテナ１００をプリント基板上に２つ配置する。これをアレイアンテナ２００、アレイアンテナ３００とする。アレイアンテナ２００に備わる第１のマジックＴ３０１とアレイアンテナ３００に備わる第２のマジックＴ３０２に対して給電する。第１の実施形態と同じく、ＥポートをΣポートとして、ＨポートをΔポートとして用いる。第１、第２のマジックＴ３０１、３０２のそれぞれのＥポート１７１，１７１’に入力した送信信号は２つのマジックＴ３０１、３０２内でそれぞれ分配され、各マジックＴの持つ２つのポートに逆相で出力される。この２つのポートはそれぞれ導波管に接続され、片方の導波管は第１の信号入出力ポートに接続され、もう一方の導波管は第２の信号入出力ポートに接続される。そこからはプリント基板上の給電線路を経由して各放射素子に給電される。
【００３９】
励振源９６０との間に第３のマジックＴ３０３を置き、そこから第１、第２のマジックＴ３０１、３０２に給電する。第３のマジックＴ３０３は通常の使い方と同じく、ＥポートをΔポート、ＨポートをΣポートとして用いる。つまり励振源９６０からの送信信号を第３のマジックＴ３０３のＨポート９７４に入力させる。入力した信号は第３のマジックＴ３０３の２つのポート９７２，９７３から同相の信号として出力させ、２つのマジックＴ３０１、３０２のそれぞれのＥポート１７１、１７１’に互いに同相で入力させる。
【００４０】
本実施形態のアレイアンテナを用いると、飛翔体等に対して横方向のモノパルス追尾が可能となる。
（第３の実施形態）
第１、第２の実施形態ではマジックＴを用いたが、ラットレース回路５０１も用いることができる。ラットレース回路は、図８に示すように、１／４波長伝送線路３本と３／４波長伝送線路をリング状に接続したものであり、マジックＴと同様に入力端子の選択により同相分配と逆相分配を行うことができる。ラットレース回路５０１は１／４波長伝送線路と３／４波長伝送線路は同軸線路で構成する。図８の端子５０２と端子５０３の間、端子５０３と端子５０４の間、端子５０４と端子５０５の間はすべて１／４波長伝送線路で接続し、端子５０５０と端子５０２の間は３／４波長伝送線路で接続する。２つのサブアレイアンテナは第１、第２の実施形態と同じである。
【００４１】
端子５０２から入力された信号は端子５０３，５０５に逆相分配され、端子５０４からは出力されない。また端子５０３から入力された信号は端子５０２，５０４に同相分配され、端子５０５からは出力されない。
【００４２】
図９は本実施形態のラットレース回路を用いたアレイアンテナの模式図である。図９に示すように、励振源１６０からの送信信号を、ラットレース回路５０１の端子５０２に入力する。端子５０２に隣接する端子５０３を給電線路１５１に接続し、給電線路１５１を第１のサブアレイ１３１の第１の信号入出力ポート１４１と接続する。一方ラットレース回路５０１の、端子５０３と逆相になる端子５０５を給電線路１５２に接続し、給電線路１５２を第２のサブアレイ１３２の第２の信号入出力ポート１４２と接続する。
【００４３】
このようにすれば第１、第２のサブアレイの給電点に互いに逆相の信号を入力できる。その結果、第１のサブアレイ１３１が含む複数の放射素子１０１は第１の方向から給電され、第２のサブアレイ１３２が含む複数の放射素子１０１’は第１の方向と逆方向の第２の方向から給電される。なお逆相出力の端子５０３、５０５は受信機にも接続する。
【００４４】
励振源１６０からの信号は端子５０５に入力してもよく、その場合は端子５０５に隣接する端子５０４を給電線路１５１に接続し、端子５０４に対して逆相となる端子５０２を給電線路１５２に接続すればよい。
（第４の実施形態）
図１０は本発明の第４の実施形態のアレイアンテナを説明するための模式的平面図である。複数の放射素子６０１を含む第１のサブアレイ６１０と、複数の放射素子６０２を含む第２のサブアレイ６２０が配置され、各放射素子に給電する給電線路６３１，６３２を備えている。励振源６８０から第１、第２のサブアレイへの給電線路の途中にマジックＴ６７０を備え、マジックＴ６７０のＥポート６７１に励振源６８０からの信号が入力され、入力された信号はマジックＴ６７０のＨポート６７４以外の他の２つのポート６７２，６７３から互いに逆位相で出力される。
【００４５】
なお図９では、第１、第２の給電点に近い場所だけ給電線路６３１，６３２を表示し、各放射素子に近い場所では表示を省略している。
【００４６】
第１のサブアレイ６１０の放射素子６０１と第２のサブアレイ６２０の放射素子６０２では、給電される向きが反対である。またマジックＴ６７０によって第１の給電点６５０と第２の給電点６６０に伝わる送信信号は位相が互いに逆相になる。その結果放射素子６０１と６０２は同相で励振されることになる。つまり給電される向きが反対であることによって放射素子６０１と放射素子６０２は反対方向に励振されるが、２つの給電点に入力される送信信号が逆相であるので、逆相×逆相となり最終的には放射素子６０１と放射素子６０２は同相で励振されることになる。そのため広帯域で使用する場合でもサイドローブの劣化を抑制できる。
（他の実施形態）
第１、第２の実施形態ではアレイアンテナはすべて二次元アレイであるが、本発明はリニアアレイにも適用できる。
【産業上の利用可能性】
【００４７】
本発明は、以下のようなアンテナやレーダに用いることができる。
・入力電力が大きく、放電回避のために導波管回路を用いる必要があるようなアンテナ、あるいはレーダ。
・広帯域に渡って低サイドローブ化が必要とされるアンテナ、あるいはレーダ。
・左右円偏波、直交直線偏波など、偏波共用アンテナで、給電線路からの不要放射が放射パターンに影響されるようなアンテナ、あるいはレーダ。
【符号の説明】
【００４８】
１００，２００、３００、４００，６００    アレイアンテナ
１０１、１０１’、６０１，６０２    放射素子
１０２、１０３，１５１，１５２    給電線路
１１０，７１０    プリント基板
１２１、１２２、１２３，１２４    ４素子アレイ
１３１，１３１’    第１のサブアレイ
１３２、１３２’６２０    第２のサブアレイ
１４０，１４０’    直線
１４１    第１の信号入出力ポート
１４２    第２の信号入出力ポート
１６０，６８０    励振源
１７０、６７０    マジックＴ
１７１，６７１    Ｅポート
１７２，１７３，６７２、６７３    ポート
３０１    第１のマジックT
３０２    第２のマジックＴ
３０３    第３のマジックＴ
５０１    ラットレース回路
５０２、５０３、５０４    端子
６１０    第１のサブアレイ
６２０    第２のサブアレイ
６３１，６３２    給電線路
６５０    第１の給電点
６６０    第２の給電点
【図１】
0006988278.tif 000002
【図２】
0006988278.tif 000003
【図３】
0006988278.tif 000004
【図４】
0006988278.tif 000005
【図５】
0006988278.tif 000006
【図６】
0006988278.tif 000007
【図７】
0006988278.tif 000008
【図８】
0006988278.tif 000009
【図９】
0006988278.tif 000010
【図１０】
0006988278.tif 000011